(57)【要約】【課題】点検者による巡回点検実績に基づいて、指定された時間に関する条件のもと短時間で実行可能な設備の点検順序を提供する。【解決手段】点検管理装置１０は、点検者が複数の設備の巡回点検時に携行するモバイル端末２０から送信され、点検の実施日時、設備の点検順序及び点検の所要時間を含む巡回点検時間データが蓄積される巡回点検時間データ蓄積部１６と、点検者に指定された時間に関する条件に合致する巡回点検時間データを巡回点検時間データ蓄積部１６から抽出する抽出処理部１３と、抽出処理部１３に抽出された巡回点検時間データに含まれている点検日と所要時間を、所要時間の短い順にモバイル端末２０にランキング表示させ、その表示されたリストの中から点検者に選択された点検日における点検順序を点検者に提供する提供処理部１４と、を有する。【選択図】図１
2019106088.tif 000002
【特許請求の範囲】
【請求項１】
複数の設備を巡回して実施された点検の実施日時、設備の点検順序及び点検の所要時間を含む巡回点検時間データが蓄積されるデータ蓄積手段と、
点検者に指定された時間に関する条件に合致する巡回点検時間データを抽出する抽出処理を実行する抽出処理手段と、
前記抽出処理手段に抽出された巡回点検時間データに含まれている点検順序を点検者に提供する提供処理手段と、
を有することを特徴とする点検管理装置。
【請求項２】
前記提供処理手段は、前記条件に合致する巡回点検時間データが複数存在する場合、複数の巡回点検時間データそれぞれに含まれている所要時間をリスト表示させ、そのリストの中から点検者に選択された所要時間を含む巡回点検時間データに含まれている点検順序を提供することを特徴とする請求項１に記載の点検管理装置。
【請求項３】
前記提供処理手段は、前記条件に合致する巡回点検時間データが複数存在する場合、所要時間が最短の巡回点検時間データに含まれている点検順序を提供することを特徴とする請求項１に記載の点検管理装置。
【請求項４】
前記抽出処理手段は、提供された点検順序に従って点検者が実施した点検の所要時間が所定の条件を満たす場合、以降の前記抽出処理において当該提供された点検順序を含む巡回点検時間データを抽出対象外とすることを特徴とする請求項１に記載の点検管理装置。
【請求項５】
前記所定の条件は、提供された点検順序に従って点検者が実施した点検の所要時間が、当該提供された点検順序を含む巡回点検時間データに含まれている所要時間より所定時間以上である場合が所定回数以上発生したという条件であるこことを特徴とする請求項４に記載の点検管理装置。
【請求項６】
点検者がそれぞれ点検作業時に携行するモバイル端末と、
点検管理装置と、
を有し、
前記モバイル端末は、
複数の設備を巡回して実施された点検の実施日時、設備の点検順序及び点検の所要時間を含む巡回点検時間データを前記点検管理装置へ送信する送信手段と、
条件設定画面から時間に関する条件を点検者に設定させる条件設定手段と、
設定された条件に応じた巡回点検時間データに含まれている点検順序を少なくとも表示する表示処理手段と、
を有し、
前記点検管理装置は、
前記モバイル端末から送信されてくる巡回点検時間データが蓄積されるデータ蓄積手段と、
点検者に指定された時間に関する条件に合致する巡回点検時間データを抽出する抽出処理を実行する抽出処理手段と、
前記抽出処理手段に抽出された巡回点検時間データに含まれている点検順序を点検者に提供する提供処理手段と、
を有することを特徴とする点検管理システム。
【請求項７】
複数の設備を巡回して実施された点検の実施日時、設備の点検順序及び点検の所要時間を含む巡回点検時間データが蓄積されるデータ蓄積手段にアクセス可能なコンピュータを、
点検者に指定された時間に関する条件に合致する巡回点検時間データを抽出する抽出処理を実行する抽出処理手段、
前記抽出処理手段に抽出された巡回点検時間データに含まれている点検順序を点検者に提供する提供処理手段、
として機能させるためのプログラム。
【発明の詳細な説明】
【技術分野】
【０００１】
本発明は、点検管理装置、点検管理システム及びプログラム、特に点検順序の決定支援に関する。
【背景技術】
【０００２】
施設内の設備の巡回点検では、予め用意された点検表に示された順番に従って設備の点検を行う。点検者は、巡回中、モバイル端末を携行しており、１つの点検項目に対する設備点検が終了する度に点検結果を記録する。この際、点検結果の記録時刻も合わせて記録される。そして、点検者は、巡回点検が終了すると、モバイル端末に記録されたデータを点検管理装置にアップロードする。
【０００３】
点検表には、点検作業が最短と考えられる順番が示されている。ただ、点検表に示された順番よりむしろ点検者の経験に基づく順番の方がより短い所要時間で点検作業を終わらせることができる場合がある。従って、点検者の経験に基づいて点検表を改善していくのが望まれる。
【先行技術文献】
【特許文献】
【０００４】
【特許文献１】特開２０１３−１４３０３４号公報
【特許文献２】特開２００２−２９８２７２号公報
【特許文献３】特開２０１１−２２１７７３号公報
【発明の概要】
【発明が解決しようとする課題】
【０００５】
ただ、点検者の経験に基づいて点検表を改善していくにしても、点検が実施される時間帯や曜日等の条件によって、最短と考えられる点検順序が変わってくると考えられる。従って、画一的な点検表を用意しておけばよいというものでもない。
【０００６】
本発明は、点検者による巡回点検実績に基づいて、指定された時間に関する条件のもと短時間で実行可能な設備の点検順序を提供することを目的とする。
【課題を解決するための手段】
【０００７】
本発明に係る点検管理装置は、複数の設備を巡回して実施された点検の実施日時、設備の点検順序及び点検の所要時間を含む巡回点検時間データが蓄積されるデータ蓄積手段と、点検者に指定された時間に関する条件に合致する巡回点検時間データを抽出する抽出処理を実行する抽出処理手段と、前記抽出処理手段に抽出された巡回点検時間データに含まれている点検順序を点検者に提供する提供処理手段と、を有することを特徴とする。
【０００８】
また、前記提供処理手段は、前記条件に合致する巡回点検時間データが複数存在する場合、複数の巡回点検時間データそれぞれに含まれている所要時間をリスト表示させ、そのリストの中から点検者に選択された所要時間を含む巡回点検時間データに含まれている点検順序を提供することを特徴とする。
【０００９】
また、前記提供処理手段は、前記条件に合致する巡回点検時間データが複数存在する場合、所要時間が最短の巡回点検時間データに含まれている点検順序を提供することを特徴とする。
【００１０】
また、前記抽出処理手段は、提供された点検順序に従って点検者が実施した点検の所要時間が所定の条件を満たす場合、以降の前記抽出処理において当該提供された点検順序を含む巡回点検時間データを抽出対象外とすることを特徴とする。
【００１１】
また、前記所定の条件は、提供された点検順序に従って点検者が実施した点検の所要時間が、当該提供された点検順序を含む巡回点検時間データに含まれている所要時間より所定時間以上である場合が所定回数以上発生したという条件であるこことを特徴とする。
【００１２】
本発明に係る点検管理システムは、点検者がそれぞれ点検作業時に携行するモバイル端末と、点検管理装置と、を有し、前記モバイル端末は、複数の設備を巡回して実施された点検の実施日時、設備の点検順序及び点検の所要時間を含む巡回点検時間データを前記点検管理装置へ送信する送信手段と、条件設定画面から時間に関する条件を点検者に設定させる条件設定手段と、設定された条件に応じた巡回点検時間データに含まれている点検順序を少なくとも表示する表示処理手段と、を有し、前記点検管理装置は、前記モバイル端末から送信されてくる巡回点検時間データが蓄積されるデータ蓄積手段と、点検者に指定された時間に関する条件に合致する巡回点検時間データを抽出する抽出処理を実行する抽出処理手段と、前記抽出処理手段に抽出された巡回点検時間データに含まれている点検順序を点検者に提供する提供処理手段と、を有することを特徴とする。
【００１３】
本発明に係るプログラムは、複数の設備を巡回して実施された点検の実施日時、設備の点検順序及び点検の所要時間を含む巡回点検時間データが蓄積されるデータ蓄積手段にアクセス可能なコンピュータを、点検者に指定された時間に関する条件に合致する巡回点検時間データを抽出する抽出処理を実行する抽出処理手段、前記抽出処理手段に抽出された巡回点検時間データに含まれている点検順序を点検者に提供する提供処理手段、として機能させるためのものである。
【発明の効果】
【００１４】
本発明によれば、点検者による巡回点検実績に基づいて、指定された時間に関する条件のもと短時間で実行可能な設備の点検順序を提供することができる。
【図面の簡単な説明】
【００１５】
【図１】本発明に係る点検管理システムの一実施の形態を示す全体構成及びブロック構成を示す図である。
【図２】本実施の形態における点検管理装置を形成するサーバコンピュータのハードウェア構成図である。
【図３】本実施の形態における巡回点検時間データ蓄積部に蓄積される巡回点検時間データのデータ構成例を示す図である。
【図４】本実施の形態における点検順序提供処理を示すフローチャートである。
【図５】本実施の形態におけるモバイル端末に表示される条件設定画面の表示例を示す図である。
【図６】本実施の形態におけるモバイル端末に表示される点検順序選択画面の表示例を示す図である。
【図７】本実施の形態におけるモバイル端末に表示されるお奨め点検順序表示画面の表示例を示す図である。
【図８】本実施の形態における選択実績情報記憶部に記憶される選択実績情報のデータ構成例を示す図である。
【発明を実施するための形態】
【００１６】
以下、図面に基づいて、本発明の好適な実施の形態について説明する。
【００１７】
図１は、本発明に係る点検管理システムの一実施の形態を示す全体構成及びブロック構成を示す図である。図１には、点検管理装置１０と、複数のモバイル端末２０と、が示されている。モバイル端末２０は、施設内に散在して設置されている複数の設備を巡回しながら点検を行う点検者に携行される端末装置である。点検管理装置１０は、モバイル端末２０から点検者により巡回点検が実施されることによって生成される巡回点検時間データを収集し、一括管理する情報処理装置である。また、モバイル端末２０に巡回点検の点検ルートを提供する。
【００１８】
図２は、本実施の形態における点検管理装置１０を形成するサーバコンピュータのハードウェア構成図である。本実施の形態において点検管理装置１０を形成するサーバコンピュータは、従前から存在する汎用的なハードウェア構成で実現できる。すなわち、点検管理装置１０は、図２に示すようにＣＰＵ３１、ＲＯＭ３２、ＲＡＭ３３、ハードディスクドライブ（ＨＤＤ）３４、通信手段として設けられたネットワークインタフェース（ＩＦ）３５を内部バス３６に接続して構成される。また、必要によりマウスやキーボード等の入力手段、ディスプレイ等の表示手段を設けてもよい。
【００１９】
本実施の形態におけるモバイル端末２０は、スマートフォンやタブレット端末等携帯可能な情報処理装置で構成する。モバイル端末２０には、コンピュータが搭載されていることから、基本的な構成は点検管理装置１０と同様に、ＣＰＵ、ＲＯＭ、ＲＡＭ、ストレージを搭載する。更に、モバイル端末２０には、ユーザインタフェースとしてタッチパネルが搭載されている。
【００２０】
図１に戻り、点検管理装置１０は、データ登録部１１、条件受付部１２、抽出処理部１３、提供処理部１４、選択実績管理部１５、巡回点検時間データ蓄積部１６及び選択実績情報記憶部１７を有している。なお、本実施の形態の説明に用いない構成要素については、図から省略している。データ登録部１１は、モバイル端末２０からネットワーク（図示せず）を介して送信されてくる巡回点検時間データを受信し、巡回点検時間データ蓄積部１６に登録する。条件受付部１２は、モバイル端末２０を使用する点検者により設定された時間に関する条件を受け付ける。抽出処理部１３は、巡回点検時間データ蓄積部１６を検索することによって、点検者により設定された時間に関する条件に合致する巡回点検時間データを抽出する抽出処理を実行する。提供処理部１４は、抽出処理部１３により抽出された巡回点検時間データを点検者に提供する。詳細は後述するように、提供処理部１４は、条件に合致する巡回点検時間データをモバイル端末２０にランキング表示させるが、選択実績管理部１５は、そのランキング表示されたものの中から点検者により選択された巡回点検時間データの点検日を選択点検日として選択実績情報記憶部１７に記録する。また、点検者により選択された巡回点検時間データに含まれる点検順序に従って点検作業が実施された場合、その実施された点検作業の所要時間が、点検者により選択された巡回点検時間データに含まれる所要時間より所定時間上回った場合、点検作業の実施日（点検日）を、当該選択点検日に対応させて選択実績情報記憶部１７に登録する。
【００２１】
図３は、本実施の形態における巡回点検時間データ蓄積部１６に蓄積される巡回点検時間データのデータ構成例を示す図である。巡回点検時間データには、点検作業が実施された年月日（点検日）及び点検者に対応させて、点検項目、点検結果が記入された時刻及びその点検結果、そして、全ての点検の終了までに要した時間（点検所要時間）が含まれる。点検項目は、実際に点検された時間順に並べられる。
【００２２】
選択実績情報記憶部１７には、ランキング表示されたものの中から点検者により選択された巡回点検時間データに関する情報が記憶されるが、詳細については追って説明する。
【００２３】
点検管理装置１０における各構成要素１１〜１５は、点検管理装置１０を形成するコンピュータと、コンピュータに搭載されたＣＰＵ３１で動作するプログラムとの協調動作により実現される。また、各記憶手段１６，１７は、点検管理装置１０に搭載されたＨＤＤ３４にて実現される。あるいは、ＲＡＭ３３又は外部にある記憶手段をネットワーク経由で利用してもよい。
【００２４】
モバイル端末２０は、点検業務処理部２１及び点検支援処理部２２を有している。なお、本実施の形態の説明に用いない構成要素については、図から省略している。点検業務処理部２１は、点検中において動作する点検業務処理部２１と、点検前において動作する点検支援処理部２２を有している。点検業務処理部２１は、巡回中の点検者による操作に応じて各設備に対する点検終了時刻（記入時刻）及び点検結果を記録する記録部２１１と、記録部２１１により記録された巡回点検時間データを点検終了後の点検者による指示に応じて点検管理装置１０へ送信するデータ送信部２１２と、を有する。点検支援処理部２２は、点検開始前に点検者により起動されることで動作を開始する。点検支援処理部２２は、点検順序に関する情報を点検管理装置１０に提供してもらうために、条件設定画面を表示して、巡回点検時間データを絞り込むための条件を点検者に指定させる条件設定部２２１と、点検者により指定された条件に基づき抽出された巡回点検時間データのランキング表示、及びランキング表示の中から点検者により選択された巡回点検時間データに含まれている点検順序を画面表示する表示処理部２２２と、を有する。
【００２５】
モバイル端末２０における各構成要素２１，２２は、モバイル端末２０に搭載されたコンピュータと、コンピュータに搭載されたＣＰＵで動作するプログラムとの協調動作により実現される。
【００２６】
また、本実施の形態で用いるプログラムは、通信手段により提供することはもちろん、ＣＤ−ＲＯＭやＵＳＢメモリ等のコンピュータ読み取り可能な記録媒体に格納して提供することも可能である。通信手段や記録媒体から提供されたプログラムはコンピュータにインストールされ、コンピュータのＣＰＵがプログラムを順次実行することで各種処理が実現される。
【００２７】
次に、本実施の形態における動作について説明する。まず、点検作業が巡回点検を実施する際に実施される処理について説明する。本実施の形態では、説明の便宜上、点検作業は１日に１回のみ実施されるものとする。１日に複数回実施される点検作業の場合は、実施時刻のデータを付加して管理すればよい。
【００２８】
点検者は、提供された点検順序に従って施設内の各設備を巡回しながら所定の点検項目について点検を行う。点検者に提供される点検順序については後述する。点検者は、所定の点検項目についての点検が終了すると、終了時点にその場（設備の設置場所）で携行するモバイル端末２０を操作して当該点検項目に対する点検結果を入力する。本実施の形態では、点検結果の指定については特徴ではないので、ここでは簡単に異常無しを示す“○”、あるいは異常有りを示す“×”が点検者により指定されるものとする。記録部２１１は、点検結果が入力された時刻（記入時刻）を点検項目に対応させて自動的に設定する。
【００２９】
全ての設備に対して点検が終了すると、データ送信部２１２は、点検者による所定の操作に応じてモバイル端末２０に保存されている巡回点検時間データを点検管理装置１０へ送信する。
【００３０】
点検管理装置１０におけるデータ登録部１１は、モバイル端末２０から巡回点検時間データが送信されてくると、そのデータを受信し、巡回点検時間データ蓄積部１６に保存する。
【００３１】
図３には、巡回点検時間データ蓄積部１６に蓄積される巡回点検時間データの例が示されているが、巡回点検時間データは点検日毎に生成される、そして、点検項目は、実際に点検された順番に並べられる。つまり、点検者は、必ずしも提供された点検順序に従って点検を行う必要はなく、点検順序に従って点検を行わなかった場合、巡回点検時間データに含まれる点検項目は、記入時刻に従って時間順に並び替えられる。なお、点検項目と設備とは紐付けられており、また設備の設置場所は既知の情報なので、点検者が記入時刻にどの設備の設置場所にいたのか特定できる。
【００３２】
続いて、点検者に点検順序を提供する点検順序提供処理について、図４に示すフローチャートを用いて説明する。
【００３３】
点検者が点検作業開始前に所定の操作をモバイル端末２０に行うと、条件設定部２２１は、その操作に応じて条件設定画面を表示する（ステップ１０１）。条件設定部２２１は、条件設定画面を点検管理装置１０からその都度取得してもよいし、内部に保存している条件設定画面を表示してもよい。この画面表示される条件設定画面の表示例を図５に示す。
【００３４】
図５に例示したように、条件設定画面には、時間に関する条件が指定可能である。点検作業開始直前に条件設定画面が表示されることを想定して、条件設定部２２１は、現時点の時間を表す情報（月、曜日等）を初期値として表示してもよい。
【００３５】
点検者によりＯＫボタンが操作されると、条件設定部２２１は、点検者により指定された条件を点検管理装置１０へ送信する。
【００３６】
点検管理装置１０における条件受付部１２は、モバイル端末２０から送信されてきた条件を受け付ける（ステップ１０２）。続いて、抽出処理部１３は、受け付けられた条件に基づいて巡回点検時間データ蓄積部１６を検索し、その条件に合致する巡回点検時間データを抽出する（ステップ１０３）。
【００３７】
続いて、提供処理部１４は、抽出された巡回点検時間データを所要時間の短い順に並び替え、上位ｎ個の巡回点検時間データに含まれている点検日及び所要時間を含むランキング情報若しくはそのランキング情報を表示する点検順序選択画面を生成してモバイル端末２０へ送信する。モバイル端末２０における表示処理部２２２は、送られてきた情報を受け取ると、その情報を点検順序選択画面に表示する（ステップ１０４）。このモバイル端末２０に表示される点検順序選択画面の例を図６に示す。
【００３８】
図６に例示したように、点検順序選択画面には、点検日と所要時間とが、所要時間の短い順にランキング表示される。もちろん、この並び順位限る必要はなく、点検日順に並べてリスト表示してもよい。なお、点検順序選択画面には、巡回点検時間データに含まれる点検日と所要時間が表示されるが、説明の便宜上、点検順序選択画面に表示されるのは巡回点検時間データと記載する場合もある。
【００３９】
点検者がリスト表示された巡回点検時間データの中から所望の巡回点検時間データを選択すると、点検管理装置１０における提供処理部１４は、選択された巡回点検時間データを受け付け（ステップ１０５）、その巡回点検時間データに対応する巡回点検時間データ、すなわち点検項目及び記入時刻を含む巡回点検時間データをモバイル端末２０に提供する。
【００４０】
このようにして、点検者が選択した巡回点検時間データは、モバイル端末２０に表示されることになるが（ステップ１０６）、この巡回点検時間データを表示するためのお奨め点検順序表示画面の表示例を図７に示す。
【００４１】
点検者は、以上のようにして自ら指定した条件に合致する点検順序を参照して、前述したように巡回点検作業を行うことになる。
【００４２】
なお、本実施の形態では、所要時間の短い上位ｎ個の点検をランキング表示して、点検者に選択できるようにしたが、所要時間が最短となる点検順序を無条件に提供するようにしてもよい。
【００４３】
本実施の形態のように巡回点検の対象とする設備が同じ場合、各設備の設置場所や設備間の距離等の情報を参照して最適と考えられる点検ルートを導出することも考えられる。しかしながら、例えば、点検を行う時間帯、あるいは平日／休日によって、点検者が使用できる施設内の通路に制限が設定される可能性もある。このような条件を全て考慮して最適と考えられる点検ルートを導出するのは、極めて面倒である。
【００４４】
そこで、本実施の形態においては、時間に関する条件を点検者が指定できるようにし、その指定された条件に合致する過去の実績（巡回点検時間データ）の中から適切と考えられる巡回点検時間データを抽出するようにした。時間に関する条件を指定させることによって検索結果が異なってくると考えられる。つまり、同じ設備を巡回点検対象としていても、条件として指定する内容、例えば朝と夜の時間帯によって、あるいは平日と休日によって、検索結果が異なってくると考えられる。
【００４５】
ところで、過去の実績に基づいて最短の所要時間となる点検順序を提供し、点検者がそれを選択した点検順序に従って巡回点検を行ったとしても、実際には最短の所要時間若しくは最短に近い所要時間で点検を終了できる保証はない。そこで、本実施の形態では、点検者が選択した巡回点検時間データを検証する機能を設け、場合によってはその巡回点検時間データを点検者への提供対象外とするようにした。
【００４６】
そのために、選択実績管理部１５は、ステップ１０５において点検者により選択された巡回点検時間データの点検日を選択実績情報記憶部１７に記録する（ステップ１０７）。なお、既に記録されていた場合、点検日の再度の記録は不要である。
【００４７】
図８は、本実施の形態における選択実績情報記憶部１７に記憶される選択実績情報のデータ構成例を示す図である。選択実績情報記憶部１７は、点検者により選択された点検日（選択点検日）のリストが記憶される。
【００４８】
点検者は、ステップ１０５において提供された点検順序を参照して点検作業を行うことになる。もちろん、その点検順序の必ずしも従う必要はないが、ここでは提供された点検順序に従って点検作業を行ったものとする。
【００４９】
点検者は、点検作業を終了すると、前述したように巡回点検時間データを点検管理装置１０に登録することになる。選択実績管理部１５は、データ登録部１１が受信した巡回点検時間データを参照し、提供した点検順序に従って点検者が点検をしたか確認する。なお、提供された点検順序に従って点検が実行されなかった場合、以下に説明する処理は実行する必要はない。
【００５０】
選択実績管理部１５は、データ登録部１１が受信した巡回点検時間データに含まれている点検の所要時間が、提供した巡回点検時間データに含まれている所要時間より所定時間（例えば、５分）以上大きい場合、つまり巡回点検に所定時間以上、余計に時間を要した場合、選択実績管理部１５は、点検を行った日（点検日）を、提供した点検順序を含む巡回点検時間データの点検日（選択点検日）に対応させて登録する。つまり、選択実績管理部１５は、所要時間が短い（通常は最短時間である）ことから選択されたのにもかかわらず、その点検順序通り巡回点検をしても最短時間を大きく上回る場合（上記例に従うと５分以上余計に時間を要した場合）に登録する。図８のデータ登録可能なフィールド数に従うと、本実施の形態では、３回分の点検日が登録可能としている。なお、本実施の形態では、点検日を登録するようにしたが、選択点検日の所要時間を所定時間以上上回った回数を記憶するようにしてもよい。
【００５１】
そして、前述したステップ１０３において、抽出処理部１３は、指定された条件に合致する巡回点検時間データを巡回点検時間データ蓄積部１６から抽出することになるが、図８に例示した「２０１７年４月１６日（日）」の選択実績情報のように、選択点検日における所要時間を上回ることが所定回数（３回）に達している場合、選択点検日に対応する巡回点検時間データを抽出対象外とする。これにより、「２０１７年４月１６日（日）」における点検順序は、ランキング表示の対象外となり、点検者に提供されることはない。
【００５２】
なお、上記例では、選択点検日における所要時間を所定時間（５分）上回って点検が終了したことが所定回数（３回）あった場合に、それ以降はランキング表示の対象外としたが、この所定時間や所定回数という所定の条件は一例であって、これに限る必要はない。
【００５３】
また、３回とも同じ点検者の場合、点検ルートではなく点検者の能力に問題があるかもしれないので、回数ではなく点検者の人数によってランキング表示の対象外かどうかを判断してもよい。また、例えば通常利用する通路が一時的に閉鎖されていることから、迂回を余儀なくされるような場合も想定できるので、選択実績情報記憶部１７への遅延点検日の登録の可否を制御できるようにしてもよい。
【００５４】
なお、本実施の形態では、既存の運用に用いている巡回点検時間データを参照して点検の所要時間が最短となる点検順序を提供できるようにした。従って、同じ点検順序によって繰り返し点検が行われると、ランキング表示される上位ｎ個とも同じ点検ルートを提供することにもなりかねない。そこで、抽出処理部１３は、同じ点検順序の巡回点検時間データを抽出しないように、あるいは提供処理部１４は、同じ点検順序を提供しないように処理を制御してもよい。
【００５５】
また、抽出処理部１３は、設備の移動に利用する通路の閉鎖、あるいは新規通路の開通等設備間の移動に利用可能な経路に変更があると、点検順序自体を見直す必要が生じてくるかもしれないので、抽出処理部１３による巡回点検時間データの検索対象期間を設定できるようにしてもよい。
【００５６】
また、本実施の形態では、施設内に限定して説明したが、設備が複数の施設に散在しているような場合にも適用可能である。
【符号の説明】
【００５７】
１０  点検管理装置、１１  データ登録部、１２  条件受付部、１３  抽出処理部、１４  提供処理部、１５  選択実績管理部、１６  巡回点検時間データ蓄積部、１７  選択実績情報記憶部、２０  モバイル端末、２１  点検業務処理部、２２  点検支援処理部、３１  ＣＰＵ、３２  ＲＯＭ、３３  ＲＡＭ、３４  ハードディスクドライブ（ＨＤＤ）、３５  ネットワークインタフェース（ＩＦ）、３６  内部バス、２１１  記録部、２１２  データ送信部、２２１  条件設定部、２２２  表示処理部。
【図１】
2019106088.tif 000003
【図２】
2019106088.tif 000004
【図３】
2019106088.tif 000005
【図４】
2019106088.tif 000006
【図５】
2019106088.tif 000007
【図６】
2019106088.tif 000008
【図７】
2019106088.tif 000009
【図８】
2019106088.tif 000010